(57)【要約】      （修正有）【課題】バイクに装着する再生装置の提供。【解決手段】デジタル音楽プレーヤーを採用し、制御装置、及び、少なくとも一つのラッパを有する。デジタル音楽プレーヤーはバックミラー内部に設置され、ラッパはバックミラーの内部、或いは、バイク車体の適当な場所に位置し、制御システムとラッパは伝送線を連接し、伝送線の一端はデジタル音楽プレーヤーと連接する。制御システムはバイク車頭二側に設置されるか、或いは、左右ハンドルの辺縁に設置される。上述の構造により、バイク騎乗時、両手を移動させなくても、指により再生装置を制御して音楽を再生し、交通事故や危険な状況の発生を防止する。【選択図】図１
0003136890.tif 000002
【実用新案登録請求の範囲】
【請求項１】
バイクに装着する再生装置であって、前記再生装置は、デジタル音楽プレーヤー、制御装置、及び、少なくとも一つのラッパからなり、その特徴は、前記デジタル音楽プレーヤー、前記デジタル音楽プレーヤーをバイク上のバックミラー内に設置し、伝送線により前記制御装置と前記ラッパを連接し、前記制御装置により前記デジタル音楽プレーヤー、及び、前記ラッパを制御し、前記ラッパにより音楽を再生することを特徴とするバイクに装着する再生装置。
【請求項２】
前記制御装置は車頭二側、及び、左右ハンドル辺縁に設置されることを特徴とする請求項１に記載のバイクに装着する再生装置。
【請求項３】
前記デジタル音楽プレーヤーと前記ラッパ間に拡大器を設置し、前記拡大器は前記バックミラー内部、或いは、車体内部に設置され、前記拡大器により出力電力を増加させ、前記ラッパに高デジベルの音楽を再生させることを特徴とする請求項１に記載のバイクに装着する再生装置。
【考案の詳細な説明】
【技術分野】
【０００１】
本考案はバイクに装着する音楽再生装置に関するものであって、特に、両手を移動させなくても、指で操作ができる音楽再生装置に関するものである。
【背景技術】
【０００２】
MP3などのデジタル音楽プレーヤーは、第三世代音声ファイル圧縮フォーマットを採用し、軽薄で、携帯に便利、容量が大きく、選択功能が多い等の長所を有し、現有のCDプレーヤーを代替して、多くの人に利用されている。
【０００３】
現有のデジタルプレーヤーは殻体からなり、殻体中に音楽を保存するメモリ装置と回路を有し、殻体外側はボタンとイヤフォン孔を有する。
【０００４】
使用時、イヤフォンの一端をイヤフォン孔からデジタル音楽プレーヤーに挿入し、もう一端を耳に装着して、メモリ装置中に保存した音楽を聴くことが出来る。
【０００５】
バイクに騎乗する際に外接式デジタル音楽プレーヤーを使用する場合、両手でプレーヤーを操作する必要があり、この肢体動作は騎乗時の重心が偏移し、非常に危険である。また、外接式デジタルプレーヤーも振動の影響を受けやすく、地面に滑落して、プレーヤーが損壊する恐れがある。
【考案の開示】
【考案が解決しようとする課題】
【０００６】
本考案の目的は、バイク車体に隠蔵、固定し、騎乗時に両手を移動しなくても、デジタル音楽プレーヤーが操作できる再生装置を提供することにある。
【課題を解決するための手段】
【０００７】
上述の目的を達成するため、本考案は、バイクに装着する再生装置を提供し、バイクはバックミラーを有し、車体内部に電源装置を有し、バックミラーは車頭の頂面に設置される。バックミラーは支承架を有し、支承架の一端はフレームを連接し、フレームの一面は鏡を有する。再生装置は、デジタル音楽プレーヤーと少なくとも一つのラッパを有する。
【０００８】
再生装置は、デジタル音楽プレーヤー、制御装置、及び、少なくとも一つのラッパを有し、デジタル音楽プレーヤーはバイク上のバックミラー内に設置され、制御装置は、車頭の二側に設置されるか、或いは、左右ハンドル辺縁に設置され、再生装置のラッパはバックミラー内部に設置されると共に、バックミラーの背面に位置するか、或いは、バイクの任意の車体内部の適当な場所に位置し、ラッパは伝送線を連接し、伝送線の一端はデジタル音楽プレーヤーと連接する。
【考案の効果】
【０００９】
本考案の長所は、デジタル音楽再生プレーヤーがバイクに設置され、脱落や遺失が生じにくく、制御装置はハンドル付近に位置するので、両手を移動させなくても、指で操作ができ、よって、バイクに騎乗時、肢体動作により、交通事故や危険な状況の発生を防止し、また、ラッパはフレーム内部に設置されると共に、バックミラー背面に位置するか、或いは、バイク車体内部に位置するので、日焼け、防水、隠蔵、防盗の効果を有する。
【００１０】
また、バイク車輌内部に設置されるデジタル音楽プレーヤーは高デシベルの音響効果を生成するので、バイク騎乗時、ヘルメットを被っていても、音楽を聴くことが出来る。
【考案を実施するための最良の形態】
【００１１】
本考案のバイクに用いる再生装置において、図１は本考案の第一実施例を示し、再生装置は、デジタル音楽プレーヤー１０、制御装置１２、少なくとも一つのラッパ１１等から構成される。
【００１２】
バイク車輌は、図２で示されるように、車体と少なくとも一つのバックミラー２１を有し、車体内にバイク車輌に使用する電源装置を有する。
【００１３】
本実施例中、バックミラー２１の数量は二個で、バックミラー２１は車頭２０頂面の前端の相対側に設置され、各バックミラー２１は支承架２２、フレーム２３、鏡２４を有する。支承架２２は車頭２０に装着され、フレーム２３は支承架２２の一端と連接され、鏡２４はフレーム２３の一側面に設置される。
【００１４】
再生装置は、車体の電源装置により電力が供給され、デジタルプレーヤー１０はバックミラーフレーム２３内に設置され、その設置方式は固設、懸掛、或いは、その他の実施可能な方式で、伝送線１１１によりデジタルプレーヤーをそれぞれ制御装置１２、及び、ラッパ１１に連接し、制御装置１２は車頭二側に設置されるか、或いは、ハンドル辺縁に設置され、指で制御装置１２にタッチすれば、音楽の再生ができる。ラッパ１１はフレーム内部に装着され、バックミラー背面に位置するか、或いは、バイク車体内部の適当な位置に装着される。
【００１５】
実際の使用時、デジタル音楽プレーヤー１０が保存する音楽は、ラッパ１１により再生され、ラッパ１１は高デシベルの音響効果を生成するので、バイク騎乗時、ヘルメットを被っていても、音楽を聴くことが出来る。
【００１６】
また、バイクの停止状態の時、デジタル音楽プレーヤー１０はラッパ１１により音楽を再生できるので、バイクの周辺の人も音楽を聴くことができる。デジタル音楽プレーヤー１０とラッパ１１はバックミラー内部に設置されるか、或いは、ラッパはバイク車体内部に設置されるので、バイク車体により防水、日よけ防止、隠密特性を有し、プレーヤーの盗難を防止する。
【００１７】
図３は本考案の第二実施例を示す図で、バイク車輌のバックミラー２１、電源装置、制御装置１２、デジタル音楽プレーヤー１０とラッパ１１の設置方式と構造は、第一実施例と相同で、制御装置は車頭二側に設置されるか、或いは、左右ハンドル辺縁に設置され、バイク騎乗時に、両手を移動させなくても、指でデジタル音楽プレーヤー１０を再生することができる。
【００１８】
この他、本実施例中、デジタル音楽プレーヤー１０とラッパ１１に間に拡大器３０を設置し、伝送線１１１の連接方式により、それぞれ、拡大器をデジタルプレーヤー１０とラッパ１１間に設置し、拡大器３０は車輌の電源装置により電源が供給され、拡大器３０はバックミラー２１、車体内部、或いは、車体の前後置物箱に設置することができ、拡大器３０は、デジタル音楽プレーヤー１０の出力電力不足でラッパが操作しないとき、拡大器が出力電力を増大させて、ラッパ１１に音楽を再生させる。
【図面の簡単な説明】
【００１９】
【図１】本考案の第一実施例の立体外観図である。
【図２】本考案のバイクの立体外観図である。
【図３】本考案の第二実施例の立体外観図である。
【符号の説明】
【００２０】
１０  デジタル音楽プレーヤー
１１  ラッパ
１１１  伝送線
２０  車頭
２１  バックミラー
２２  支承架
２３  フレーム
２４  鏡
１２  制御装置
３０  拡大器        
【図１】
0003136890.tif 000003
【図２】
0003136890.tif 000004
【図３】
0003136890.tif 000005